(57)【特許請求の範囲】
【請求項１】
ディスクを移送するローラと、前記ローラで移送されるディスクの移送方向に直交し前記ローラと対向する位置に配置され、前記ローラで移送される途中のディスクを案内するディスクガイドと、前記ディスクの移送方向に直交する方向に突出した支持軸と、前記ディスクガイドの両端の前記支持軸を挟んで対向する位置に前記支持軸に揺動可能に軸支されたディスク選択レバーと、前記ディスク選択レバーの両端に設けられディスク側に向けて突出した突起部とを備え、
大径ディスクが移送された場合は、前記ディスク選択レバーの両端の突起部と移送された前記大径ディスクとが当接して移送途中のディスクを押し下げ、小径ディスクが移送された場合は、前記ディスク選択レバーの両端の突起部と移送された前記小径ディスクとが当接しないまたは前記ディスク選択レバーの両端の突起部のうち少なくとも一方と移送された前記小径ディスクとが当接しないことを特徴とするディスクプレーヤ。
【請求項２】
前記ローラで移送されたディスクを載置して回転動作させるターンテーブルと、前記ターンテーブル上に載置されたディスクを前記ターンテーブルに圧着するクランパと、前記クランパを回転可能に支持するクランパアームとを備え、
前記クランパアームに前記ローラで移送されたディスクが挿通して前記ディスクの端部が当接する湾曲状の端縁を有する開口部が設けられたことを特徴とする請求項１記載のディスクプレーヤ。
【請求項３】
前記ターンテーブルには、載置されたディスクを支持するディスク支持部と、前記ディスク支持部の中央に位置して前記載置されたディスクの中心孔に嵌合する突起部と、前記突起部の中央に位置して前記ターンテーブルの軸心方向に沿って進退動作するクランパ係合部とが設けられ、
前記クランパには、進出動作した前記クランパ係合部が係合するターンテーブル係合部が設けられたことを特徴とする請求項２に記載のディスクプレーヤ。
【請求項４】
前記クランパ係合部は、前記突起部の内外にわたって進退動作する本体部材と、ディスクの載置によって前記本体部材を進出動作させる操作レバーと、前記操作レバーを介して前記本体部材を後退動作させる付勢手段とを具備し、
前記操作レバーの一端部が前記ディスク支持部に突出して配置され、前記操作レバーの他端部が前記本体部材と連結された請求項３記載のディスクプレーヤ。
【発明の詳細な説明】
【０００１】
【発明の属する技術分野】
本発明は、コンパクトディスクの再生時などに使用されるディスクプレーヤに関する。
【０００２】
【従来の技術】
従来から、ディスクプレーヤは大径及び小径のディスクを再生し得るのが一般的であるが、このような構成とされたディスクプレーヤの一例としては特開平８−４５１５６号で開示され、かつ、図１３ないし図１６で示すような平面構造及び側面構造を有するものが知られている。すなわち、このディスクプレーヤにおいては、移送して再生されるディスクが大径のディスク１０１Ａであるならば、図１３及び図１４で示すように、ディスク１０１の移送方向Ｘと直交する位置にある支持軸１０２でもって揺動可能に軸支された揺動レバー１０３の一端に設けられたピン１０３ａが移送途中のディスク１０１Ａの端面と当接して操作されることになり、その結果として揺動レバー１０３の他端に設けられた突起部１０３ｂがディスク１０１Ａの先端部分を押し下げるため、ディスク１０１Ａが小径用の係止部材１０４とは干渉しないで移送されることになり、再生位置に到達したディスク１０１Ａは大径用の係止部材１０５で受け止められて係止される。
【０００３】
そして、このディスクプレーヤで再生されるディスクが小径のディスク１０１Ｂである際には、図１５及び図１６で示すように、揺動レバー１０３の一端に設けられたピン１０３ａが移送途中のディスク１０１Ｂの端面とは当接せず、ピン１０３ａが操作されないためにディスク１０１Ｂは押し下げられないままで移送されることになり、再生位置に到達したディスク１０１Ｂは小径用の係止部材１０４で受け止められることによって係止される。なお、図１４及び図１６中の符号１０６はローラを示しており、このローラ１０６によっては挿入されてきたディスク１０１を再生位置まで移送することが実行されている。
【０００４】
また、ディスクプレーヤでのディスク再生時には、図１７でクランプ機構の側面構造を示すように、ローラ１０６でもって移送されたディスク１０１をターンテーブル１０７の真上に位置させる必要があるが、ディスク１０１の移送途中にあっては、ディスク１０１をターンテーブル１０７に圧着するクランパ１０８が移送時の障害となるため、このクランパ１０８を自由端部で支持し、かつ、基端部が支持軸１０９でもって揺動可能に軸支されたクランパアーム１１０でもってクランパ１０８をターンテーブル１０７から離間させておくことが行われる。なお、図１７中の符号１１１はディスクガイドであり、このディスクガイド１１１は、ローラ１０６と対向する位置に配置されたうえで移送途中のディスク１０１を案内するものとなっている。
【０００５】
さらにまた、この種のディスクプレーヤにあっては、ディスク１０１と、ターンテーブル１０７と、クランパ１０８との回転中心を互いに一致させる必要があるため、図１８でクランプ構造を拡大して示すように、ディスク１０１の中央に位置する中心孔１０１ａと嵌合し、かつ、この中心孔１０１ａを挿通したうえでクランパ１０８側へと突出する大径の突起部１０７ａをディスク１０１が載置されるターンテーブル１０７上に設けておくと共に、この突起部１０７ａの内側位置に形成された小径の突起部１０７ｂが係合する窪み状の係合部１０８ａをクランパ１０８に対して予め設けておくことが行われている。
【０００６】
【発明が解決しようとする課題】
ところで、従来の形態に係るディスクプレーヤにおいては、ディスク１０１が小径のディスク１０１Ｂである際には操作されず、大径のディスク１０１Ａである際にのみ操作される揺動レバー１０３を、ディスク１０１の移送方向Ｘと直交する位置に設けられた支持軸１０２でもって揺動可能に軸支した構成が採用されているが、このような構成である限りは、ディスク１０１Ａが小径用の係止部材１０４と干渉しないよう揺動レバー１０８を大きく揺動させることによってディスク１０１Ａの先端部分を押し下げる必要があるため、これらの配置スペースが大きくならざるを得ず、また、実際的には揺動レバー１０８の下方にディスクガイド１１１が配置される結果として全体の厚みが厚くなって薄型化を図ることができないという不都合が生じる。
【０００７】
また、従来の構成では、ディスク１０１の移送時における障害とならないようクランパアーム１１０でもってクランパ１０８をターンテーブル１０７から離間させることが行われているが、移送途中のディスク１０１がクランパアーム１１０と接触したうえでターンテーブル１０７へと押しつけられると、ディスク１０１が傷つくため、ターンテーブル１０７からクランパ１０８が大きく離間するようにしてディスク１０１が傷つくことを防止する必要があり、やはり全体の薄型化を実現することは困難となっている。
【０００８】
さらに、前記従来の構成とされたディスクプレーヤにおいては、ディスク１０１と、ターンテーブル１０７と、クランパ１０８との回転中心を互いに一致させる必要があるため、ディスク１０１の中心孔１０１ａと嵌合したうえで突出する突起部１０７ａをターンテーブル１０７に設けているが、このような突起部１０７ａを設けた場合には、ディスク１０１が傷つくことを防止する必要上、ターンテーブル１０７からクランパ１０８をさらに大きく離間させなければならず、全体の薄型化を実現することがますます困難となってしまう。
【０００９】
本発明はこのような不都合に鑑みて創案されたものであり、全体の薄型化を図ることが容易な構成とされたディスクプレーヤの提供を目的としている。
【００１０】
【課題を解決するための手段】
本発明の請求項１に係るディスクプレーヤは、ディスクを移送するローラと、ローラと対向する位置に配置されて移送途中のディスクを案内するディスクガイドと、移送された大径及び小径のディスクをそれぞれ受け止めて係止する大径用及び小径用の係止部材とを備えていると共に、ディスクの移送方向と直交する位置にあるディスクガイドの両端には、ディスクの移送方向と直交する方向に沿って突出した支持軸でもって揺動可能に軸支されたディスク選択レバーを配置し、かつ、支持軸を挟んで対向する位置にあるディスク選択レバーの両端にはディスク側へと向かって突出した突起部をそれぞれ設けており、ディスクが大径である際の突起部は共にディスクと当接したうえで移送途中のディスクを押し下げるものである一方、ディスクが小径である際の突起部は共にディスクと当接せず、または、少なくとも一方がディスクとは当接しないものであることを特徴とする。
【００１１】
この請求項１に係る構成においては、移送されるディスクが大径であれば、ディスクガイドの両端に配置されたディスク選択レバーの突起部が共に当接してディスクが押し下げられることになり、押し下げられた大径のディスクが小径用の係止部材とは干渉しないまま移送されたうえで大径用の係止部材によって係止されるのに対し、小径のディスクである際には、ディスク選択レバーの突起部が共に当接せず、または、少なくとも一方の突起部しか当接しないため、ディスクが押し下げられないまま移送されたうえで小径用の係止部材によって係止されることになる。そして、このような構成であれば、従来の揺動レバーよりも大幅に小型化されたディスク選択レバーでもってディスクが大径であるか小径であるかを判別し、大径及び小径のディスクを各々の再生位置まで確実に移送することが可能となる。
【００１２】
本発明の請求項２に係るディスクプレーヤは、ディスクを移送するローラと、移送して載置されたディスクを回転動作させるターンテーブルと、ターンテーブル上に載置されたディスクをターンテーブルに圧着するクランパと、基端部を中心として揺動可能に軸支され、かつ、ディスクの移送時には自由端部で回転可能に支持したクランパをターンテーブルから離間させておくクランパアームとを備えていると共に、クランパアームには移送途中のディスクの先端部が挿通して突出する開口部を設けており、かつ、この開口部のディスクガイド側に位置する端縁はディスクの両端部のみが当接する湾曲状とされていることを特徴とする。
【００１３】
この請求項２に係る構成であれば、移送途中のディスクの先端部がクランパアームの開口部を挿通したうえで突出することが許容されるので、このクランパアームによって先端部が押圧されたディスクがターンテーブルへと押しつけられることは起こらない。また、この際における開口部のディスクガイド側に位置する端縁がディスクの両端部のみと当接する湾曲状を有しているに過ぎないため、ディスクの全面が傷つくというような不都合は生じ得ないこととなる。
【００１４】
本発明の請求項３に係るディスクプレーヤは、ディスクを移送するローラと、移送して載置されたディスクを回転動作させるターンテーブルと、基端部を中心として揺動可能に軸支されたクランパアームの自由端部でクランパ保持板を介して回転可能に支持され、かつ、ターンテーブル上に載置されたディスクをターンテーブルに圧着するクランパと、ターンテーブルから離間したクランパの一端部を位置決め規制する規制部材とを備えていると共に、クランパアームにはターンテーブルから離間したクランパの他端部を位置決め支持する支持部を設けている一方、クランパ保持板には、クランパアームから離間する方向へとクランパを付勢している付勢部と、クランパの係合部と係合したうえでディスクからクランパを離間させる係合部とを設けていることを特徴とする。
【００１５】
この請求項３に係る構成であれば、クランパ及びクランパアーム間の機構的な余裕がクランパ保持板によって確保されているため、クランパの位置を安定的に維持することが可能であるばかりか、ディスクの移送に要するスペースを十分に確保してディスクが傷つくことを防止し得るという利点が確保される。
【００１６】
本発明の請求項４に係るディスクプレーヤは、ディスクを移送するローラと、移送して載置されたディスクを回転動作させるターンテーブルと、基端部を中心として揺動可能に軸支されたクランパアームの自由端部でクランパ保持板を介して支持され、かつ、ターンテーブル上に載置されたディスクをターンテーブルに圧着するクランパとを備えていると共に、ターンテーブルには、載置されたディスクを支持するディスク支持部と、ディスク支持部の中央に位置してディスクの中心孔と嵌合する突起部と、突起部の中央に位置したうえでターンテーブルの軸心方向に沿って本体部材が進退動作するクランパ係合部とを設けている一方、クランパには、進出動作したクランパ係合部の本体部材が係合するターンテーブル係合部を設けていることを特徴とする。
【００１７】
本発明の請求項５に係るディスクプレーヤは請求項４に記載したものであり、クランパ係合部は、突起部の内外にわたって進退動作する本体部材と、ディスク支持部上に突出して配置された一端部がディスクで押圧された際には他端部と連結された本体部材を進出動作させる操作レバーと、一端部がディスクで押圧されていない操作レバーを介して本体部材を後退動作させる付勢手段とを具備していることを特徴とする。
【００１８】
これらの請求項４及び請求項５に係る構成を採用した際には、ディスク移送時の障害の一つであるクランパ係合部の本体部材、すなわち、ターンテーブルに設けられたクランパ係合部の本体部材が、ディスクの移送中には突起部内へと後退動作しているので、ディスクが傷つくというような不都合は生じない。そして、ターンテーブルのディスク支持部に載置されたディスクはその中心孔と嵌合する突起部でもって相互の回転中心が一致する状態として位置決めされ、また、このディスクをターンテーブルに圧着するクランパはそのターンテーブル係合部と進出動作したクランパ係合部の本体部材とが係合するのに伴って互いの回転中心が一致する状態として位置決めされるので、ディスクとターンテーブルとクランパとの回転中心を容易に一致させ得るという利点も確保される。
【００１９】
【発明の実施の形態】
以下、本発明に係る実施の形態を図面に基づいて説明する。
【００２０】
（実施の形態１）
図１及び図３は本実施の形態１に係るディスクプレーヤの平面構造図、図２及び図４はディスクプレーヤの側面構造図であり、図１及び図２は移送されるディスクが大径である状態を示している一方、図３及び図４は移送されるディスクが小径である状態を示している。そして、図５の平面構造図及び図６の側面構造図それぞれは図３及び図４の変形例に係り、これらの図５及び図６は小径のディスクが位置ずれしたまま移送される場合を示している。
【００２１】
実施の形態１に係るディスクプレーヤは、挿入口１から移送方向Ｘに沿って挿入されてきたディスク２を回転動作に伴って移送するローラ３と、ローラ３と対向する上側位置に配置されて移送途中のディスク２を案内するディスクガイド４と、再生位置まで移送された大径のディスク２Ａ及び小径のディスク２Ｂのそれぞれを受け止めて係止する大径用の係止部材５及び小径用の係止部材６とを備えている。なお、ここでのローラ３は、図示省略しているが、バネなどの付勢手段で付勢されることに伴ってディスク２をディスクガイド４へと押しつけている。
【００２２】
そして、この際におけるディスクガイド４の両端、つまり、ディスク２の移送方向Ｘと直交する位置にあるディスクガイド４の両端には、ディスク２の移送方向Ｘと直交する方向に沿って突出した支持軸７でもって揺動可能に軸支されたディスク選択レバー８が配置されており、支持軸７を挟んで対向する位置にあるディスク選択レバー８それぞれの両端には、移送されるディスク側へと向かって突出した突起部８ａ，８ｂが設けられている。なお、これら突起部８ａ，８ｂは、移送されるディスク２が大径、つまり、大径のディスク２Ａである際には共にディスク２Ａと当接したうえでディスク２Ａを押し下げるものである一方、ディスク２が小径、つまり、小径のディスク２Ｂである際には共にディスク２Ｂと当接しないか、あるいはまた、少なくとも一方がディスク２Ｂとは当接しないものであることになっている。
【００２３】
さらに、このディスクプレーヤは、移送して載置されたディスク２を回転動作させるターンテーブル９と、ターンテーブル９上に載置されたディスク２をターンテーブル９に圧着するクランパ１０と、基端部を中心として支持軸１１で揺動可能に軸支され、かつ、ディスク２の移送時には自由端部で回転可能に支持したクランパ１０をターンテーブル９から離間させておくクランパアーム１２とを備えており、クランパ１０とクランパアーム１２の自由端部との間には、クランパ１０を回転可能に支持するクランパ保持板１３が介装されている。そして、このクランパアーム１２には移送されているディスク２Ａ，２Ｂの先端部が挿通して突出する第１及び第２の開口部１４，１５が設けられており、これらの開口部１４，１５のディスクガイド側に位置する端縁１４ａ，１５ａはディスク２Ａ，２Ｂの両端部２ａのみが当接する湾曲状、例えば、円弧状などとしたうえで形成されている。
【００２４】
ところで、前記従来の形態では図示及び説明を省略したが、図１ないし図６における符号３１はトラバース基板、３２はトリガーレバー、３３はスライダーであり、これらのそれぞれは従来の形態と同様ものとなっている。すなわち、支持軸３４でもって揺動可能に支持されたトリガーレバー３２はディスク２Ａ，２Ｂが再生位置に到達したことを検知したうえでスライダー３３を動作させるものである一方、スライダー３３はクランパアーム１２を動作させたうえでクランパ１０によってディスク２Ａ，２Ｂをターンテーブル９に圧着させるものである。
【００２５】
つぎに、移送されるディスク２が大径のディスク２Ａである場合におけるディスクプレーヤの動作を、図１及び図２に基づいて説明する。まず、大径のディスク２Ａが挿入口１から挿入されてくると、フォトセンサー（図示省略）によってディスク２Ａの挿入が検出されることになり、かつ、駆動モータ（図示省略）によってローラ３が回転動作させられるため、ディスク２Ａはローラ３によって内部へと引き込まれる。なお、このときのディスク２Ａはローラ３によってディスクガイド４へと押しつけられ、かつ、このディスクガイド４に設けられたガイド部４ａ，４ｂによって姿勢が規制されるため、図２で示すように、右側の先端部が若干高くなる姿勢となったうえで移送される。そして、ローラ３によってディスク２Ａが移送されてくると、ディスクガイド４の両端に配置されたディスク選択レバー８それぞれの両端に設けられた突起部８ａ，８ｂが共にディスク２Ａの表面に対して当接することになる。
【００２６】
すなわち、この際におけるディスク選択レバー８のそれぞれはディスクガイド４に固定された支持軸７でもって揺動可能に軸支されており、この支持軸７を揺動中心としながら図２中の時計回り方向及び反時計回り方向に沿って揺動し得るため、移送されてきたディスク２Ａの表面に対しては各ディスク選択レバー８の挿入口１側に設けられた突起部８ａがまずもって当接することとなる。そして、さらに移送が進むと、ディスク２Ａは突起部８ａと当接したままで内奥側にある突起部８ｂとも当接することになり、これらの突起部８ａ，８ｂと同時に当接したディスク２Ａは突起部８ａ，８ｂの双方と共に当接したことによる反発作用を受ける結果として図２で示すような右下がり姿勢となるよう、つまり、その移送方向が以前よりも右下向きとなるよう押し下げられる。
【００２７】
そのため、このディスク２Ａは小径用の係止部材６と干渉しないままで移送され続けることになり、やがて各ディスク選択レバー８の突起部８ａがディスク２Ａから外れてしまうと、ディスク選択レバー８が反時計回り方向に揺動する結果としてディスク２Ａには突起部分８ｂのみが当接していることとなる。そして、このようになると、ディスク２Ａの先端部は浮き上がることとなるが、浮き上がったディスク２Ａの先端部は右下がり状態として支持されたクランパアーム１２と接触するため、ディスク２Ａはクランパアーム１２に沿った押し下げ状態として移送されながらターンテーブル９へと近づいていくことになる。
【００２８】
ところで、クランパアーム１２に沿って移送されたディスク２Ａがターンテーブル９と接触していると、ターンテーブル９によってディスク２Ａが傷つくことにもなりかねないため、クランパアーム１２に対しては第１の開口部１４が設けられているのであり、ある程度の範囲にわたる押し下げ状態として移送されたディスク２Ａの先端部はクランパアーム１２の開口部１４を挿通して突出することになり、ターンテーブル９と接触するまでディスク２Ａが押し下げられることは起こらないこととなる。なお、この際にあっては、開口部１４の端縁１４ａがディスク２Ａの両端部２ａのみと当接する湾曲状を有しているため、端縁１４ａによってディスク２Ａの全面が傷つくことも有効に防止される。
【００２９】
そして、移送され続けたディスク２Ａは大径用の係止部材５でもって受け止められたうえで係止されることによって再生位置に到達したこととなり、再生位置まで到達したディスク２Ａの端面によってはトリガーレバー３２の大径ディスク当接部３２ａが押される。すると、大径ディスク当接部３２ａが押されたトリガーレバー３２が支持軸３４を中心として揺動するため、このトリガーレバー３２のスライダー当接部３２ｂがスライダー３３を押す結果、スライダー３３が移動動作を開始することになり、移動動作を開始したスライダー３３の支持部３３ａがクランパアーム１２の支持部１２ａから離れる。そのため、このクランパアーム１２がクランパアームバネ（図示省略）の作用でもって支持軸１１を中心として揺動する結果、クランパアーム１２の自由端部にクランパ保持板１３を介して支持されたクランパ１０がディスク２Ａをターンテーブル９に対して圧着することになり、以後、ディスク２Ａの再生が実行されることになる。
【００３０】
引き続き、移送されるディスク２が小径のディスク２Ｂである場合におけるディスクプレーヤの動作を、図３及び図４に基づいて説明する。まず、小径のディスク２Ｂが挿入口１から挿入されてくると、フォトセンサー（図示省略）によってディスク２Ｂの挿入が検出されることになり、かつ、駆動モータ（図示省略）によってローラ３が回転動作させられるため、ディスク２Ｂはローラ３によって内部へと引き込まれる。そして、このときのディスク２Ｂはローラ３によってディスクガイド４へと押しつけられ、かつ、このディスクガイド４に設けられたガイド部４ａ，４ｂによって姿勢が規制されるため、図４で示すように、右側の先端部が若干高くなる姿勢となったうえで移送されることになり、やがてはクランパアーム１２に接触し、このクランパアーム１２に設けられた開口部１４から先端部が挿通して突出することが許容された範囲までローラ３によってそのまま移送される。
【００３１】
すなわち、ディスク２Ｂが移送されている際には、図３で示すように、ディスクガイド４の両端に位置するディスク選択レバー８それぞれの両端に設けられた突起部８ａ，８ｂがディスク２Ｂと当接することは起こらず、これらの突起部８ａ，８ｂによってディスク２Ｂが押し下げられることは起こらないため、ディスク２Ｂはそのままの高さ位置を維持したうえで移送される。そして、この際、ディスク２Ｂの先端部がクランパアーム１２を挿通して突出することを許容する第２の開口部１５がクランパアーム１２に対して予め設けられているから、このクランパアーム１２がディスク２Ｂの先端部をターンテーブル９へと向かって押し下げる右下がり状態であるにも拘わらず、ディスク２Ｂがターンテーブル９側へと押し下げられて接触することは起こらない。そこで、ディスク２Ｂの移送がターンテーブル９によって妨げられることはなくなり、また、この開口部１５の端縁１５ａがディスク２Ｂの両端部２ａのみと当接する湾曲状を有しているため、端縁１５ａによってディスク２Ｂの全面が傷つくことも有効に防止される。
【００３２】
さらに、このクランパアーム１２の所定位置ごと、つまり、ディスク２Ｂの再生位置と対応する２つの所定位置ごとには小径用の係止部材６が位置決めしたうえで設けられており、これらの係止部材６によってはローラ３でもって移送されて再生位置にまで到達したディスク２Ｂが受け止められて係止される。そして、再生位置まで到達したディスク２Ｂの端面によってはトリガーレバー３２の小径ディスク当接部３２ｃが押されることになり、小径ディスク当接部３２ｃが押されることによってトリガーレバー３２が支持軸３４を中心として揺動した場合には、このトリガーレバー３２のスライダー当接部３２ｂがスライダー３３を押す結果、スライダー３３が動作を開始する。すると、動作を開始したスライダー３３の支持部３３ａがクランパアーム１２の支持部１２ａから離れることとなり、このクランパアーム１２がクランパアームバネ（図示省略）の作用でもって支持軸１１を中心として揺動する結果としてクランパ１０によるディスク２Ｂの圧着が行われる。
【００３３】
ところで、図３及び図４においては小径のディスク２Ｂが挿入口１のセンター（中央）位置から挿入されるとしているが、このディスク２Ｂが挿入口１のサイド位置から挿入されることもあるので、この場合におけるディスクプレーヤの動作が異なっている点のみを図５及び図６に基づいて説明する。すなわち、小径のディスク２Ｂが挿入口１のサイド位置から挿入された際には、大径のディスク２Ａが挿入された場合と同様、ディスクガイド４の両端に配置されたディスク選択レバー８の突起部８ａ，８ｂがディスク２Ｂの表面と当接することになるが、ディスク２Ｂが小径であるため、突起部８ａと当接したディスク２Ｂが移送されて突起部８ｂと当接するまでの間に突起部８ａは離れてしまうことになり、これら突起部８ａ，８ｂの双方が共にディスク２Ｂと当接していることは起こらない。そこで、この際においては、各ディスク選択レバー８に設けられた突起部８ａ，８ｂのうちの少なくとも一方しかディスク２Ｂと当接せず、ディスク２Ｂが押し下げられることは起こらないため、ディスク２Ｂが挿入口１のサイド位置から挿入されたにも拘わらず、センター位置から挿入された場合と同様にして再生位置まで移送されることになる。
【００３４】
（実施の形態２）
図７は実施の形態２に係るディスクプレーヤの平面構造図、図８及び図９はディスクプレーヤの側面構造図であり、図７及び図８はディスクの再生状態を示している一方、図９はディスクの交換状態を示している。なお、図７ないし図９において、図１ないし図６のそれぞれと互いに同一もしくは相当する部品、部分には同一符号を付し、ここでの詳しい説明は省略する。
【００３５】
実施の形態２に係るディスクプレーヤは、ディスク２を移送するローラ３と、移送して載置されたディスク２を回転動作させるターンテーブル９と、基端部を中心として揺動可能に軸支されたクランパアーム１２の自由端部でクランパ保持板１３を介して回転可能に支持され、かつ、ターンテーブル９上に載置されたディスク２をターンテーブル９に圧着するクランパ１０と、ターンテーブル９から離間したクランパ１０の一端部を位置決め規制する規制部材１６、例えば、ディスクプレーヤを構成する筐体（図示省略）によって固定支持された規制部材１６とを備えている。そして、クランパアーム１２にはターンテーブル９から離間したクランパ１０の他端部を位置決め支持するための支持部１２ｂが設けられている一方、クランパ保持板１３には、クランパアーム１２から離間する方向へとクランパ１０を付勢している付勢部１３ａと、クランパ１０の係合部１０ａと係合したうえでディスク２からクランパ１０を離間させる係合部１３ｂとが設けられている。
【００３６】
すなわち、この際におけるクランパ１０の中央位置には突起部１０ｂが設けられており、この突起部１０ｂはクランパ保持板１３と接触したうえで回転可能となっている。そして、クランパ保持板１３は、その両横位置に設けられた細い腕状の板バネである付勢部１３ａを介したうえでクランパアーム１２を押しているため、常にクランパアーム１２から離れる方向へと付勢されている。なお、このクランパ保持板１３は、クランパアーム１２とほぼ平行とされた係合部１３ｃを介してクランパアーム１２と係合しており、そのため、再生時のクランパ保持板１３とクランパアーム１２は平行状態を維持し得ることとなっている。
【００３７】
ところで、ディスク２を交換する、または、取り出す場合には、図９で示すように、スライダー３３の支持部３３ａがクランパアーム１２の支持部１２ａを持ち上げ、かつ、支持軸１１を中心として時計回り方向に揺動したクランパアーム１２がクランパ保持板１３を介してクランパ１０を持ち上げることになり、持ち上げられたクランパ１０の一端部は規制部材１６によって位置決め規制される。そして、クランパアーム１２がさらに揺動すると、クランパ１０の他端部である図９中の右端が上昇することになり、上昇したクランパ１０の他端部はクランパアーム１２の支持部１２ｂに当接したうえで位置決め支持される。すなわち、クランパアーム１２の揺動量が常に一定であるならば、このような状態のままでクランパ１０の姿勢は規制されるが、クランパアーム１２における支持部１２ａとクランパ保持板１３を支持している支持部１２ｃとが離間しているため、クランパ１０の移動量については若干の誤差を生じることになる。
【００３８】
そこで、このような不都合を回避するため、実施の形態２に係るディスクプレーヤにおいては、クランパアーム１２を僅かの範囲にわたってさらに揺動させることが行われる。すなわち、この際のクランパ保持板１３はクランパアーム１２に対して若干上下方向の機構的な余裕を有しており、横位置に設けられた付勢部１３ａによってクランパアーム１２から離間する方向へと付勢されているので、クランパ１０は規制部材１６とクランパアーム１２の支持部１２ｂとでもって拘束されていることになり、揺動量が若干多くなったクランパアーム１２は、クランパ保持板１３の付勢部１３ａによる付勢力に抗してクランパ保持板１３へと近づくことになる。そのため、クランパアーム１２の揺動量に若干の誤差があってもクランパ１０の位置は正しく規制されることになり、規制部材１６及び支持部１２ｃによって位置決め規制されたクランパ１０がガタつくことはなくなる。
【００３９】
（実施の形態３）
図１０は実施の形態３に係るディスクプレーヤが備えるターンテーブルの平面構造図、図１１及び図１２はターンテーブルの側面構造図であり、図１０及び図１１は待機状態を示している一方、図１２はディスク装着状態を示している。なお、図１０ないし図１２において、図１ないし図９のそれぞれと互いに同一もしくは相当する部品、部分には同一符号を付し、ここでの詳しい説明は省略する。
【００４０】
実施の形態３に係るディスクプレーヤは、ディスク２を移送するローラ３と、移送して載置されたディスク２を回転動作させるターンテーブル９と、基端部を中心として揺動可能に軸支されたクランパアーム１２の自由端部でクランパ保持板１３を介して支持され、かつ、ターンテーブル９上に載置されたディスク２をターンテーブル９に圧着するクランパ１０とを備えている。そして、ターンテーブル９には、載置されたディスク２を支持するディスク支持部１７と、ディスク支持部１７の中央に位置してディスク２の中心孔（図示省略）と嵌合する突起部１８と、突起部１８の中央に位置したうえでターンテーブル９の軸心方向に沿って本体部材１９が進退動作するクランパ係合部２０とが設けられている一方、クランパ１０には、進出動作したクランパ係合部２０の本体部材１９が係合するターンテーブル係合部１０ｃが設けられている。
【００４１】
さらに、クランパ係合部２０は、突起部１８の内外にわたって進退動作する、つまり、図１１及び図１２中の上下方向に沿って進退動作する芯出しリングである本体部材１９と、突起部１８に固定された支持軸２１でもって回動可能に軸支され、かつ、一端部２２ａがディスク支持部１７上に突出している芯出しレバーであるところの操作レバー２２と、操作レバー２２を介して本体部材１９を後退動作させる板バネである付勢手段２３とを具備しており、操作レバー２２の他端部２２ｂは本体部材１９の側面から延出された支持軸２４でもって回動可能に軸支されている。そして、この際における操作レバー２２は、ディスク２が載置されたために一端部２２ａが押圧されると、他端部２２ｂに連結された支持軸２４を介して本体部材１９を突起部１８から進出動作させる一方、ディスク２が載置されない限りは、付勢手段２３の作用を受けて本体部材１９を突起部１８の内部へと後退動作させておくものとなっている。
【００４２】
そこで、本実施の形態３に係るディスクプレーヤでは、以下のような動作が実行される。すなわち、ターンテーブル９と同心状態になるようにしてディスク２がディスク支持部が１７上に載置されると、ディスク２のクランプ面２ｂが操作レバー２２の一端部２２ａを下向きに押すため、この操作レバー２２は支持軸２１を中心としながら図１１中での反時計回り方向に回動する。そのため、操作レバー２２の他端部２２ｂが上昇することとなる結果、これらの他端部２２ｂと支持軸２４を介したうえで連結されている本体部材１９はガイド２５によって案内されながら進出動作させられる。
【００４３】
その後、クランパアーム１２が支持軸１１を中心としながら図１１及び図１２中での反時計回り方向に沿って揺動されてくると、このクランパアーム１２の自由端部に設けられたクランパ保持板１３及びクランパ１０がターンテーブル９上に載置されたディスク２へと向かって下降してくることになり、このクランプ１０に設けられたターンテーブル係合部１０ｃが進出動作している本体部材１９と嵌合した際には、ターンテーブル９とクランプ１０との回転中心同士が互いに一致した状態で位置決めされたことになる。その結果、以上の動作によっては、ディスク２とターンテーブル９とクランパ１０との回転中心それぞれが一致していることになる。
【００４４】
【発明の効果】
以上説明したように、本発明の請求項１に係るディスクプレーヤにおいては、移送されるディスクが大径であれば、ディスクガイドの両端に配置されたディスク選択レバーの突起部が共に当接してディスクが押し下げられるのに対し、小径のディスクである際には、ディスク選択レバーの突起部が共に当接しないか、少なくとも一方が当接しないため、ディスクが押し下げられないこととなる結果、従来の揺動レバーよりも大幅に小型化されたディスク選択レバーでありながらもディスクが大径であるか小径であるかを判別し、大径及び小径のディスクを各々の再生位置まで確実に移送することが可能となる。そのため、この構成を採用すれば、従来のように大きな配置スペースを要することがなくなり、ディスクプレーヤ全体の厚みを薄型化できるという効果が得られる。
【００４５】
本発明の請求項２に係るディスクプレーヤであれば、移送途中のディスクの先端部がクランパアームの開口部を挿通したうえで突出し得るので、クランパアームによって先端部が押圧されたディスクがターンテーブルへと押しつけられることは起こらず、また、この開口部の端縁によってディスクの全面が傷つくことも生じないという利点が確保されることになり、これらの利点を確保しながら全体の厚みを薄型化することができる。本発明の請求項３に係るディスクプレーヤであれば、クランパ及びクランパアーム間の機構的な余裕がクランパ保持板によって確保されているため、クランパの位置を安定的に維持することが可能であるばかりか、ディスクの移送に要するスペースを十分に確保してディスクが傷つくことを防止し得るという利点が確保されることになり、このような利点を確保したうえでの薄型化を実現できることになる。
【００４６】
本発明の請求項４及び請求項５に係るディスクプレーヤであれば、ディスク移送時の障害の一つであるクランパ係合部の本体部材、すなわち、ターンテーブルに設けられたクランパ係合部の本体部材が、ディスクの移送中には突起部内へと後退動作しているのであるから、ディスクが傷つくというような不都合は生じないこととなる。そして、ディスクはターンテーブルの突起部によってターンテーブルと回転軸心が一致し、クランパは進出動作したクランパ係合部の本体部材を介してターンテーブルと回転軸心が一致するので、これらのディスクとターンテーブルとクランパとの回転中心を容易に一致させ得るという利点も確保される。
【図面の簡単な説明】
【図１】実施の形態１に係るディスクプレーヤの平面構造図であり、移送されるディスクが小径である場合を示している。
【図２】実施の形態１に係るディスクプレーヤの側面構造図であり、移送されるディスクが小径である場合を示している。
【図３】実施の形態１に係るディスクプレーヤの平面構造図であり、移送されるディスクが大径である場合を示している。
【図４】実施の形態１に係るディスクプレーヤの側面構造図であり、移送されるディスクが大径である場合を示している。
【図５】実施の形態１に係るディスクプレーヤの平面構造図であり、移送される小径のディスクが位置ずれしたままで移送されている場合の途中状態を示している。
【図６】実施の形態１に係るディスクプレーヤの側面構造図であり、移送される小径のディスクが位置ずれしたままで移送されている場合の途中状態を示している。
【図７】実施の形態２に係るディスクプレーヤの平面構造図であり、ディスクの再生状態を示している。
【図８】実施の形態２に係るディスクプレーヤの側面構造図であり、ディスクの再生状態を示している。
【図９】実施の形態２に係るディスクプレーヤの側面構造図であり、ディスクの交換状態を示している。
【図１０】実施の形態３に係るディスクプレーヤが備えるターンテーブルの平面構造図であり、待機状態を示している。
【図１１】実施の形態３に係るディスクプレーヤが備えるターンテーブルの側面構造図であり、待機状態を示している。
【図１２】実施の形態３に係るディスクプレーヤが備えるターンテーブルの側面構造図であり、ディスク装着状態を示している。
【図１３】従来の形態に係るディスクプレーヤの平面構造図であり、移送されるディスクが大径である場合を示している。
【図１４】従来の形態に係るディスクプレーヤの側面構造図であり、移送されるディスクが大径である場合を示している。
【図１５】従来の形態に係るディスクプレーヤの平面構造図であり、移送されるディスクが小径である場合を示している。
【図１６】従来の形態に係るディスクプレーヤの側面構造図であり、移送されるディスクが小径である場合を示している。
【図１７】従来の形態に係るディスクプレーヤの側面構造図である。
【図１８】従来の形態に係るクランプ構造図である。
【符号の説明】
２    ディスク
２Ａ  ディスク
２Ｂ  ディスク
４    ディスクガイド
５    大径用の係止部材
６    小径用の係止部材
７    支持軸
８    ディスク選択レバー
８ａ  突起部
８ｂ  突起部
９    ターンテーブル
１０    クランパ
１０ａ  係合部
１０ｂ  支持部
１０ｃ  ターンテーブル係合部
１２    クランパアーム
１３    クランパ保持板
１３ａ  付勢部
１３ｂ  係合部
１４    第１の開口部
１４ａ  端縁
１５    第２の開口部
１５ａ  端縁
１６    規制部材
１７    ディスク支持部
１８    突起部
１９    本体部材
２０    クランパ係合部
２２    操作レバー
２２ａ  一端部
２２ｂ  他端部
２３    付勢手段
Ｘ    移送方向
【図１】
0004058577.tif 000002
【図２】
0004058577.tif 000003
【図３】
0004058577.tif 000004
【図４】
0004058577.tif 000005
【図５】
0004058577.tif 000006
【図６】
0004058577.tif 000007
【図７】
0004058577.tif 000008
【図８】
0004058577.tif 000009
【図９】
0004058577.tif 000010
【図１０】
0004058577.tif 000011
【図１１】
0004058577.tif 000012
【図１２】
0004058577.tif 000013
【図１３】
0004058577.tif 000014
【図１４】
0004058577.tif 000015
【図１５】
0004058577.tif 000016
【図１６】
0004058577.tif 000017
【図１７】
0004058577.tif 000018
【図１８】
0004058577.tif 000019